(57)【要約】【課題】振動モータを機器ケースに簡単に、且つがたつきのない状態で固定でき、更に振動を確実に伝達できる構造とし、更に固定に必要な体積を小さくできる振動モータ取付部材を提供する。【解決手段】モータ取付部材２は、このモータ取付部材２と振動モータ１とを接合する接合部３を有する当接部２ａとモータ固定部材５に嵌合される結合片４ａとを具備して成り、当接部２ａは振動モータ１の本体胴部と当接するように円弧形に形成され、この円弧形の深さは振動モータ１の本体胴部の半径よりも小さく、且つ、円弧形の弦の長さＷ１は振動モータ１の本体胴部の直径より小さい寸法に設定されている。従って固定に必要な体積を小さくできると共に、振動モータ１を機器ケースに簡単に、がたつきのない状態で固定でき振動を確実に伝達できる。【選択図】　　　図１
2004069622.tif 000002
【特許請求の範囲】
【請求項１】
本体胴部が円筒形に形成されて成るモータと、
このモータの前記円筒型の本体胴部に当接すると共に前記本体胴部に接合する接合部が設けられた円弧形の当接部及びこの円弧形の当接部と一体的に形成された一対の結合片からなるモータ取付部材と、
このモータ取付部材が配置され且つ前記モータ取付部材の一対の結合片が挿入される挿入凹部が形成されたモータ固定部材とを備えたことを特徴とするモータ取付構造。
【請求項２】
前記モータ取付部材は、前記円弧形の当接部の深さが前記モータの本体胴部の半径より小さく且つ前記当接部の弦の長さが前記モータの本体胴部の直径よりも小さい寸法に形成されていることを特徴とする請求項１に記載のモータ取付構造。
【請求項３】
前記モータは振動モータであることを特徴とする請求項１又は２に記載のモータ取付構造。
【請求項４】
本体胴部が円筒形に形成されてなるモータを挿入凹部が形成されたモータ固定部材に取付けるモータ取付部材であって、
このモータ取付部材は、前記モータの前記円筒型の本体胴部に当接すると共に前記本体胴部に接合する接合部が設けられた円弧形の当接部及びこの円弧形の当接部に一体的に形成され前記モータ固定部材に形成された前記挿入凹部に挿入される一対の結合片を備えたことを特徴とするモータ取付部材。
【請求項５】
前記円弧形の当接部の深さは前記モータの本体胴部の半径より小さく且つ前記当接部の弦の長さは前記モータの本体胴部の直径よりも小さい寸法に形成されていることを特徴とする請求項４に記載のモータ取付部材。
【請求項６】
本体胴部が円筒形に形成されて前記本体胴部から外方に突出する突出部が形成されたモータと、
このモータの前記円筒形の本体胴部に当接する円弧形の当接部及び前記突出部が挿入される凹部が形成されたモータ固定部材とを備えたことを特徴とするモータ取付構造。
【請求項７】
本体胴部が円筒形に形成されて前記本体胴部から内方に窪む凹部が形成されたモータと、
このモータの前記円筒形の本体胴部に当接する円弧形の当接部及び前記凹部に嵌合される突出部が形成されたモータ固定部材とを備えたことを特徴とするモータ取付構造。
【請求項８】
本体胴部が円筒形に形成されて成るモータと、
このモータの前記円筒形の本体胴部に当接すると共に前記本体胴部に接合する接合部が設けられた円弧形の当接部及びこの円弧形の当接部と一体的に形成された一対の結合片からなるモータ取付部材と、
このモータ取付部材が配置され且つ前記モータ取付部材の一対の結合片が挿入される挿入凹部が形成された機器ケースとを備えたことを特徴とするモータを備えた電子機器。
【請求項９】
前記モータ取付部材は、前記円弧形の当接部の深さが前記モータの本体胴部の半径よりも小さく、且つ前記当接部の弦の長さは前記モータの本体胴部の直径よりも小さい寸法に形成されていることを特徴とする請求項８に記載のモータを備えた電子機器。
【請求項１０】
前記モータは振動モータであることを特徴とする請求項８、又は９に記載のモータを備えた電子機器。
【発明の詳細な説明】
【０００１】
【発明の属する技術分野】
本発明はモータをモータ固定部材に取付けるためのモータ取付け構造、モータ取付けのためのモータ取付部材及びモータを備えた電子機器に関する。
【０００２】
【従来の技術】
電子腕時計や腕時計型無線機、携帯電話等の電子機器では、設定された時刻に至った時や、設定された時間が経過したとき、あるいは着信等があったことを振動によって使用者に告知する構造のものが商品化されている。振動による告知を用いる理由は、無音のため騒音とならず、又、街頭、工事現場等の騒がしい場所での音の報知では聞き洩らしが発生するが振動では確実に告知できるからである。
【０００３】
このような電子機器は、機器ケース内に振動モータが配置されていると共に、振動モータの振動が機器ケースを介して人体に伝達されるようになっている。
【０００４】
例えば、電子腕時計等の従来の機器ケースへの振動モータの固定は、図２１に示すように、振動モータ５０を緩衝材５１によって包み込み、この状態で緩衝材５１をモータ固定部材５２の凹部５２ａに固定することにより間接的に固定している。又、特開平１０−３１９１４６号公報では、前記振動モータを腕時計の裏蓋と接触するように前記裏蓋に固定部材を介して押さえ付けて固定している。
【０００５】
【発明が解決しようとする課題】
しかしながら、図２１に示すように、緩衝材５１を介して固定する構造では、前記緩衝材５１の肉厚は振動モータ５０全体を包み込むための厚みを持つため振動モータ５０の固定に必要な体積が大きくなる問題を有している。
【０００６】
一方、特開平１０−３１９１４６号公報の構造では、前記振動モータを前記裏蓋と接触するようにこの裏蓋に固定部材を介して押さえ付けて固定しているため、この固定部材の厚みと、前記裏蓋に前記固定部材を固定するための体積が必要になり、その結果、電子機器が大きくなる問題を有している。
【０００７】
本発明は、このような従来の問題点を考慮してなされたものであり、モータを機器ケース内に最小限の体積で簡単に固定することができると共に、モータの振動を確実に伝達でき、さらには、モータのがたつきのない固定が可能なモータの取付構造、モータの取付部材及びモータを備えた電子機器を提供することを目的とする。
【０００８】
【課題を解決するための手段】
上記目的を達成するため、請求項１のモータ取付け構造の発明は、本体胴部が円筒形に形成されて成るモータと、このモータの前記円筒型の本体胴部に当接すると共に前記本体胴部に接合する接合部が設けられた円弧形の当接部及びこの円弧形の当接部と一体的に形成された一対の結合片からなるモータ取付部材と、このモータ取付部材が配置され且つ前記モータ取付部材の一対の結合片が挿入される挿入凹部が形成されたモータ固定部材とを備えたことを特徴とする。
【０００９】
この構造では、このモータの前記円筒型の本体胴部に当接する前記モータ取付部材の一対の結合片が挿入凹部に挿入され、モータ固定部材にモータのがたつきのない固定が可能になる。
【００１０】
請求項２の発明は、請求項１記載の発明であって、前記モータ取付部材は、前記円弧形の当接部の深さ（Ｈ）が前記モータの本体胴部の半径より小さく且つ前記当接部の弦の長さ（Ｗ１）が前記モータの本体胴部の直径よりも小さい寸法に形成されていることを特徴とする。
【００１１】
前記モータ取付部材に設けられた前記円弧形の当接部の深さが前記モータの本体胴部の半径より小さく且つ前記当接部の弦の長さが前記モータの本体胴部の直径よりも小さい寸法に形成されているため、前記モータ固定部材の前記挿入凹部の幅寸法は前記モータの本体胴部の直径の幅寸法を確保すれば良く、電子機器の小型化が可能になる。
【００１２】
請求項３の発明は、請求項１及び請求項２記載の発明であって、前記モータは振動モータであることを特徴とする。
【００１３】
前記モータは振動モータであるため、振動を発生し、この振動による人体への告知が可能になる。
【００１４】
請求項４の発明は、本体胴部が円筒形に形成されてなるモータを挿入凹部が形成されたモータ固定部材に取付けるモータ取付部材であって、このモータ取付部材は、前記モータの前記円筒型の本体胴部に当接すると共に前記本体胴部に接合する接合部が設けられた円弧形の当接部及びこの円弧形の当接部に一体的に形成され前記モータ固定部材に形成された前記挿入凹部に挿入される一対の結合片を備えたことを特徴とする。
【００１５】
前記モータの前記円筒型の本体胴部に当接されたモータ取付部材の円弧形の当接部に一体的に形成された一対の結合片が前記モータ固定部材に形成された前記挿入凹部に挿入されるため、前記モータは、前記モータ固定部材にがたつきのない固定が可能になる。
【００１６】
請求項５の発明は、請求項４に記載の発明であって、前記円弧形の当接部の深さは前記モータの本体胴部の半径より小さく且つ前記当接部の弦の長さは前記モータの本体胴部の直径よりも小さい寸法に形成されていることを特徴とする。
【００１７】
前記モータ固定部材の溝部の幅寸法は前記当接部の弦の長さが前記モータの本体胴部の直径よりも小さい寸法に形成されているため、前記モータの本体胴部の直径寸法を確保すれば良く電子機器の小型化が可能になる。
【００１８】
請求項６の発明は、本体胴部が円筒形に形成された前記本体胴部から外方に突出する突出部が形成されたモータと、このモータの前記円筒形の本体胴部に当接する円弧形の当接部及び前記突出部が挿入される凹部が形成されたモータ固定部材とからなることを特徴とする。
【００１９】
この構造では、本体胴部が円筒形に形成された前記本体胴部から外方に突出する突出部が形成されたモータが、このモータの前記円筒形の本体胴部に当接する円弧形の当接部及び前記突出部がモータ固定部材の凹部に挿入嵌合されるため、がたつきのない固定が可能になり、また、モータの挿入方向の寸法は、前記モータ取付部材の板厚寸法を必要としないため、電子機器の小型化が可能になる。
【００２０】
請求項７の発明は、本体胴部が円筒形に形成された前記本体胴部から内方に窪む凹部が形成されたモータと、このモータの前記円筒形の本体胴部に当接する円弧形の当接部及び前記凹部が嵌合される突出部が形成されたモータ固定部材とからなることを特徴とする。
【００２１】
この構造では、本体胴部が円筒形に形成された前記本体胴部から内方に窪む凹部が形成されたモータが、このモータの前記円筒形の本体胴部に当接する円弧形の当接部及び前記凹部がモータ固定部材の突出部に嵌合されるため、がたつきのない固定が可能になり、また、モータの挿入方向の寸法は、前記モータ取付部材の板厚寸法を必要としないため、電子機器の小型化が可能になる。
【００２２】
請求項８の発明は、本体胴部が円筒形に形成されて成るモータと、このモータの前記円筒形の本体胴部に当接すると共に前記本体胴部に接合する接合部が設けられた円弧形の当接部及びこの円弧形の当接部と一体的に形成された一対の結合片からなるモータ取付部材と、このモータ取付部材が配置され且つ前記モータ取付部材の一対の結合片が挿入される挿入凹部が形成された機器ケースとを備えたことを特徴とする。
【００２３】
この構造では、本体胴部が円筒形に形成されて成るモータは、前記モータ取付部材が円弧形の当接部で接合され、この円弧形の当接部と一体的に形成された一対の結合片が、前記モータ取付部材の一対の結合片が挿入される挿入凹部が形成された機器ケースに挿入されることで機器ケースに固定できる。
【００２４】
請求項９の発明は、請求項８記載の発明であって、前記モータ取付部材は、前記円弧形の当接部の深さが前記モータの本体胴部の半径よりも小さく、且つ前記当接部の弦の長さは前記モータの本体胴部の直径よりも小さい寸法に形成されていることを特徴とする。
【００２５】
前記モータ取付部材は、前記円弧形の当接部の深さが前記モータの本体胴部の半径よりも小さく、且つ前記当接部の弦の長さは前記モータの本体胴部の直径よりも小さい寸法に形成されているため、一対の結合片が挿入される挿入凹部の体積を小さくできるため、電子機器を小型化できる。
【００２６】
請求項１０の発明は、請求項８、請求項９、に記載の発明であって、前記モータは振動モータであることを特徴とする。
【００２７】
前記モータは振動モータであるため、電子機器に振動を発生させ、この振動をこの電子機器を介して人体に確実に告知できる。
【００２８】
【発明の実施の形態】
以下に、本発明のそれぞれの実施の形態を図面を参照して説明する。
【００２９】
図１乃至図４は本発明の第１の実施の形態であり、図１は振動モータ１の取付け前の形状を示す図である。この振動モータ１は内部に固定子、回転子（図示せず）等が配置された円筒状の本体胴部であるモータケース１ａと、このモータケース１ａの一端から突出したモータ回転軸１ｂと、このモータ回転軸１ｂに固定された錘１ｃと、モータケース１ａの他端に配置されたモータ回転軸１ｂの軸受け部材１ｄと、外部から駆動電圧が供給される電線１ｅ，１ｅとから構成される。前記振動モータ１の前記モータケース１ａの下面には、振動モータ取付部材２がスポット溶接等により取り付けられている。この振動モータ取付部材２は金属の薄板で出来ていて厚さは約０．１ｍｍ〜０．５ｍｍであり、前記金属の薄板を抜き加工した後、モータケース１ａの外面に当接するように円弧状に曲げ加工をしたものである。前記振動モータ取付部材２は図２に示すように、前記モータケース１ａの外側に当接される円弧状の当接部２ａ，２ａと、この当接部２ａ，２ａの間に設けられた結合部４とから構成されている。前記当接部２ａ，２ａの中心部には、夫々前記モータケース１ａに前記振動モータ取付部材２をスポット溶接等によって接合固定するための接合部３，３が設けられている。又、前記結合部４には、夫々外側に突出する舌片状の結合片４ａ，４ａが形成されている。
【００３０】
図１に戻り、前記振動モータ取付部材２が固定された前記振動モータ１は、モータ固定部材５の底面円弧状の溝部６に取り付けられるものである。前記モータ固定部材５の前記溝部６の中央部分には、凹部７が形成されており、この凹部７には、前記モータ取り付部材２の前記舌片状の結合片４ａが挿入されて嵌合固定される。即ち、結合片４ａのモータ回転軸１ｂ方向の長さは、凹部７に圧入によって挿入されるような長さとなっており、これによって結合片４ａは凹部７に嵌合固定されるものである。
【００３１】
図３は、前記振動モータ１が前記モータ固定部材５に挿入固定された状態を示しており、この状態において、さらに図４に示すように弾性体からなる緩衝材８を介して押さえ部材９で押さえることにより確実な固定がなされる。
【００３２】
尚、図２、図４に示すように、前記振動モータ取付部材２の円弧状の前記当接部２ａ，２ａの端部から端部までの長さ、即ち円弧状の弦の長さＷ１は前記振動モータ１の直径Ｄより小さく、前記当接部２ａの厚さ寸法Ｈは前記振動モータ１の半径より小さく形成され、さらに、前記結合部４の長さＷ２は前記振動モータ１の直径と同一か、やや小さく形成されている。
【００３３】
このように、前記振動モータ１に前記振動モータ取付部材２を前記接合部３で接合させた状態で、前記モータ固定部材５の前記凹部７に前記結合片４ａを嵌合させて、図３に示すように収納されることにより、前記振動モータ１のモータ回転軸１ｂ方向の動きが規制される。さらに、前記振動モータ１の収納方向の固定は図４の前記緩衝材８を介して前記押さえ部材９によって行われるので確実な固定がなされる。また、モータ取付け部材７は、当接部２及び接合部３によってモータケース１ａの外表面と面接触しているので、振動モータ１の振動を確実にモータ固定部材５に伝えることが出来る。
【００３４】
尚、前記振動モータ１と前記振動モータ取付部材２の接合方法はスポット溶接に限らず接着剤を用いる等、他の方法を用いてもよい。
【００３５】
図５、図６は前記第１の実施の形態で示した振動モータ取付部材２の他の実施の形態であり、第１の実施の形態と同一構成に対しては同一番号を付して詳細な説明は省略する。前記振動モータ取付部材２０は図１で示したモータケース１ａの外側に当接される円弧状の当接部２０ａ，２０ａと、この当接部２０ａ，２０ａの間に設けられた結合部２４，２４とから構成されている。前記当接部２０ａ，２０ａの中心部には夫々、前記モータケース１ａに前記振動モータ取付部材２０をスポット溶接等によって固定するための前記接合部３，３が設けられている。又、前記結合部２４，２４には、夫々下側に突出する舌片状の結合片２４ａ，２４ａが形成されている。図６は振動モータ取付部材２０を振動モータ１と接合した後、前記モータ固定部材５の前記凹部７に嵌合した状態の断面図であり、前記振動モータ１の収納方向の固定は前記緩衝材８を介して前記押さえ部材９によって行われる。この構成においても、結合片２４ａ，２４ａによって振動モータ１のモータ回転軸１ｂ方向の動きが規制され、また、振動モータ１の振動が確実にモータ固定部材５に伝えられるものである。
【００３６】
図７、図８は前記振動モータ取付部材２の更に他の実施の形態であり、振動モータ取付部材２１は前記モータケース１ａの外側に当接される円弧状の当接部２１ａ，２１ａと、この当接部２１ａ，２１ａの間に設けられた結合部２２とから構成されている。前記当接部２１ａ，２１ａの中心部には夫々、前記モータケース１ａに前記振動モータ取付部材２１をスポット溶接等によって固定するための前記接合部３，３が設けられている。又、前記結合部２２には、夫々下側に突出する舌片状の結合片２２ａ，２２ａが形成されている。図８は前記振動モータ１と接合された振動モータ取付部材２１を前記モータ固定部材５の前記凹部７に嵌合した状態の断面図で、前記振動モータ１の収納方向の固定は前記緩衝材８を介して前記押さえ部材９によって行われている。この構成にあっても結合片２２ａによって確実な固定と振動の伝達がなされるものである。
【００３７】
図９、図１０は本発明の第２の実施の形態を示す。尚、第１の実施の形態と同一構成に対しては同一番号を付して詳細な説明は省略する。この実施の形態による振動モータ１１は軸受け部材１１ｄに一体的に突起部１４，１４を形成させたものであって、この振動モータ１１は前記突起部１４，１４の下半分が前記モータ固定部材５に形成された凹部１５，１５に嵌合されて固定される。尚、前記振動モータ１１の収納方向の固定は緩衝材（図示せず）を介して押さえ部材（図示せず）によって行われ確実な固定と振動の伝達がなされる。
【００３８】
図１１、図１２は第２の実施の形態の他の実施の形態を示す。この実施の形態では、振動モータ１２のモータケース１２ａの一端部に一体的に外方に突出する突起部１４ａ，１４ａが形成されている。この振動モータ１２の突起部１４ａ，１４ａはモータ固定部材５の凹部１５ａ，１５ａに嵌合されて固定される。前記振動モータ１２の収納方向の固定は緩衝材（図示せず）を介して押さえ部材（図示せず）によって行われ、確実な固定と振動の伝達がなされる。
【００３９】
図１３、図１４は本発明の第３の実施の形態を示す。尚、第１の実施の形態と同一構成に対しては同一番号を付して詳細な説明は省略する。この実施の形態では、振動モータ１３の軸受け部材１３ｄに一体的に凹部１６，１６が形成されている。この振動モータ１３の前記凹部１６，１６には、図１４に示すように前記モータ固定部材５の突起部１７，１７が嵌合されて固定される。前記振動モータ１３の収納方向の固定は緩衝材（図示せず）を介して押さえ部材（図示せず）によって行われ、確実な固定と振動の伝達がなされる。
【００４０】
図１５は本発明の第４の実施の形態を示す。この実施の形態では、振動モータ１８のモータケース１８ａの一端部に一体的に突起部１８ｂ，１８ｂが形成されている。この振動モータ１８の前記突起部１８ｂと軸受け部材１ｄとの間に前記モータ固定部材５のリブ状の当接部１９が嵌合されることによって固定される。前記振動モータ１８の収納方向の固定は緩衝材（図示せず）を介して押さえ部材（図示せず）によって行われるので確実な固定がなされる。
【００４１】
図１６乃至図１８は、本発明のモータを備えた電子機器の実施の形態を示すもので、腕時計に振動モータを組み込んだ例である。図１６において、腕時計型の機器ケース３０は、透明な表示板ガラス３３と押し釦４３とシールリング４０を具備しており、前記機器ケース３０の第１の収納部３１ａには、時計全体の制御を行う回路部（図示せず）、時刻等の表示を行う表示部（図示せず）、振動モータ制御部（図示せず）、及び外部から情報を入力するための前記押し釦４３の入力部（図示せず）から構成される時計モジュール３１ｂがねじ（図示せず）等で固定されている。
【００４２】
前記機器ケース３０には開口部３５ｃと凹部３５ｂとからなる第２の収納部３５ａが形成されており、この第２の収納部３５ａには振動モータ３６が配置され、前記機器ケース３０の前記開口部３５ｃの上側に表蓋３４が取付けられている。また、この機器ケース３０の前記第１の収納部３１ａには金属で形成した裏蓋３２が取り付けられている。尚、前記開口部３５ｃは、図１で示した円弧状の溝部６と同一形状であり、また凹部３５ｂは図１の凹部７と同一形状に形成されているもので図１６は、凹部７に相当する位置の断面図であり、さらに図１８は凹部７とは異なった位置での断面図である。
【００４３】
図１６において、前記振動モータ３６は、固定子、回転子（図示せず）等が内部に配置されており、図１７に拡大図示してあるように前記振動モータ３６の１端に錘３６ａを備えている。この錘３６ａは前記振動モータ３６の１端から外部に引き出されたモータ回転軸３６ｂに取付けられて、このモータ回転軸３６ｂと一体的に回転する。前記錘３６ａは半円形に成形されており、前記錘３６ａの回転により前記モータ回転軸３６ｂの回転振動を増幅して前記振動モータ３６自体に振動を発生させる。さらに前記振動モータ３６に図２で示した前記振動モータ取付部材２と同一形状の振動モータ取付部材３７が図１の前記接合部３と同様に接合されている。
【００４４】
図１７において、前記振動モータ３６に接合された前記振動モータ取付部材３７は前記第２の収納部３５ａの前記開口部３５ｃの円弧状溝部に両面接着テープ３８を介して接着固定される。また、前記振動モータ取付部材３７の舌片状の結合片３７ａ，３７ａ（図２の結合片４ａ，４ａに該当するもの）は、前記凹部３５ｂに嵌入固定される。さらに図１８に示すように前記第２の収納部３５ａの１部には前記振動モータ３６の電線４２を前記時計モジュール３１ｂに接続するために貫通穴４４が前記第１の収納部３１ａと前記第２の収納部３５ａをつないで形成されている。
【００４５】
図１７において前記表蓋３４は、前記機器ケース３０の上側から前記第２の収納部３５ａを超音波溶着等の手段で密閉するように固定される。さらに、前記表蓋３４と前記振動モータ３６の間に弾性体からなる緩衝材３９が配置されており、前記振動モータ３６をがたつくことなく確実に固定できる。その結果、前記振動モータ３６の振動は前記振動モータ取付部材３７を介して前記機器ケース３０に伝達される。
【００４６】
また、図１８において前記裏蓋３２は、前記機器ケース３０の下面を覆うように取付けられる。この裏蓋３２は、前記機器ケース３０の下面外周側に配置された前記シールリング４０に外周側が密着した状態で、ねじ止めされることによって前記機器ケース３０の下面を覆うように固定される。その結果、時計バンド取付部４１に取付けられる時計バンド（図示せず）によって上記腕時計を腕に装着している使用者に対して前記機器ケース３０に伝達された前記振動モータ３６の振動は前記裏蓋３２を介して伝達される。従って、振動による告知を確実に行うことができる。
【００４７】
図１９、図２０は、本発明の他の実施の形態を示す。尚、図１６乃至図１８と同一構成部には同一番号を付して詳細な説明は省略する。この実施の形態においては第２の収納部３５ａは前記機器ケース３０の前記第１の収納部３１ａと隣接して形成されており、この第２の収納部３５ａに前記振動モータ３６が配置されると共に前記機器ケース３０の下側に前記裏蓋３２が取り付けられている。
【００４８】
即ち、前記機器ケース３０の第２の収納部３５ａは前記裏蓋３２側に形成されており、前記振動モータ３６の前記振動モータ取付部材３７は前記第２の収納部３５ａの上側底面に前記両面接着テープ３８を介して取付けられ、前記振動モータ取付部材３７の結合片３７ａ，３７ａは上側凹部３５ｂに嵌合固定されている。また、前記振動モータ３６は前記緩衝材３９を介して前記裏蓋３２で固定される。
【００４９】
この裏蓋３２は、前記機器ケース３０の下面を覆うように取付けられる。前記裏蓋３２は、前記機器ケース３０の下面外周側に配置された前記シールリング４０に外周側が密着した状態で、ねじ止めされることによって前記機器ケース３０の前記第１の収納部３１ａと前記第２の収納部３５ａとを覆うように固定される。その結果、前記振動モータ３６の振動が前記緩衝材３９を介して、及び前記振動モータ取付部材３７並びに前記機器ケース３０を介して前記裏蓋３２に伝達される。従って、腕時計の装着者に振動による告知を確実に行うことができる。
【００５０】
本発明は、以上の実施の形態に限定されることなく、種々変形が可能であり、例えば腕時計だけでなく電子手帳、携帯電話、その他の電子機器に同様に適用することができる。
【００５１】
また、本発明はモータよりも小さなモータ取付部材を用いてモータを確実に取り付けるものであるので、振動モータだけでなく、ステップモータや直流モータ等他のモータの取付けにも適用できるものである。
【００５２】
【発明の効果】
以上説明したように、本発明によればモータを簡単に固定できるとともに、固定に必要な体積を小さくでき、がたつきのない確実な固定が可能になる効果を有する。
【図面の簡単な説明】
【図１】第１の実施の形態の振動モータをモータ固定部材に取付ける前の斜視図である。
【図２】第１の実施の形態の振動モータ取付部材の斜視図である。
【図３】第１の実施の形態の振動モータとモータ固定部材の固定状態の斜視図である。
【図４】図３に示した固定状態の断面図である。
【図５】振動モータ取付部材の他の例を示す斜視図である。
【図６】図５に示した振動モータ取付部材の断面図である。
【図７】振動モータ取付部材の更に他の例を示す斜視図である。
【図８】図７に示した振動モータ取付部材の断面図である。
【図９】第２の実施の形態の振動モータ取付部の斜視図である。
【図１０】第２の実施の形態の振動モータとモータ固定部材の固定状態の斜視図である。
【図１１】第２の実施の形態の他の振動モータ取付部の斜視図である。
【図１２】第２の実施の形態の他の振動モータとモータ固定部材の固定状態の斜視図である。
【図１３】第３の実施の形態の振動モータ取付部の斜視図である。
【図１４】第３の実施の形態の振動モータとモータ固定部材の固定状態の斜視図である。
【図１５】第４の実施の形態の振動モータ取付部の斜視図である。
【図１６】モータを備えた電子機器の実施の形態の断面図である。
【図１７】図１６に示した部分拡大断面図である。
【図１８】図１６に示した他の断面図である。
【図１９】モータを備えた電子機器の他の実施の形態の断面図である。
【図２０】図１９に示した部分拡大断面図である。
【図２１】従来技術の実施の形態の斜視図である。
【符号の説明】
１　　　振動モータ
２ａ　　当接部
２　　　振動モータ取付部材
３　　　接合部
４　　　結合部
４ａ　　結合片
５　　　モータ固定部材
７　　　凹部
８　　　緩衝材
９　　　押さえ部材
３０　　機器ケース
３１ｂ　時計モジュール
３２　　裏蓋
３３　　表示板ガラス
３４　　表蓋
３５ｂ　凹部
３５ｃ　開口部
３６　　振動モータ
３７　　振動モータ取付部材
３８　　両面接着テープ
３９　　緩衝材
４１　　バンド取付部
【図１】
2004069622.tif 000003
【図２】
2004069622.tif 000004
【図３】
2004069622.tif 000005
【図４】
2004069622.tif 000006
【図５】
2004069622.tif 000007
【図６】
2004069622.tif 000008
【図７】
2004069622.tif 000009
【図８】
2004069622.tif 000010
【図９】
2004069622.tif 000011
【図１０】
2004069622.tif 000012
【図１１】
2004069622.tif 000013
【図１２】
2004069622.tif 000014
【図１３】
2004069622.tif 000015
【図１４】
2004069622.tif 000016
【図１５】
2004069622.tif 000017
【図１６】
2004069622.tif 000018
【図１７】
2004069622.tif 000019
【図１８】
2004069622.tif 000020
【図１９】
2004069622.tif 000021
【図２０】
2004069622.tif 000022
【図２１】
2004069622.tif 000023